(57)【特許請求の範囲】
【請求項１】
建物の二層以上の床の一部に設けられた凹部を支持する支持構造であって、前記凹部の底面が下階に設けられた収納家具に支持されていることを特徴とする床凹部の支持構造。
【請求項２】
請求項１に記載の床凹部の支持構造において、前記建物は、四隅に立設された四本の柱と、これらの柱の上端間に架け渡された上梁と、前記柱の下端間に架け渡された下梁とからなる骨組みを備えた建物ユニットの組合せによって構成され、この建物ユニットが上下に積層された上階建物ユニットおよび下階建物ユニットを含み、この上階建物ユニットの床の一部には前記凹部が形成され、下階建物ユニットには前記凹部の底面を支持する収納家具が設けられていることを特徴とする床凹部の支持構造。
【請求項３】
請求項２に記載の床凹部の支持構造において、前記下階建物ユニットは、前記上階建物ユニットよりも高さが低く形成され、この下階建物ユニットには、前記凹部と上下方向に対向する位置に複数の棚板を有する収納家具が設けられていることを特徴とする床凹部の支持構造。
【請求項４】
請求項１〜３のいずれかに記載の床凹部の支持構造において、前記凹部と収納家具との間には、この凹部の底面を支持する支持パネルが設けられていることを特徴とする床凹部の支持構造。
【請求項５】
請求項１〜４のいずれかに記載の床凹部の支持構造において、前記収納家具は、前記凹部を支持する間仕切壁を含んで構成されていることを特徴とする床凹部の支持構造。
【請求項６】
請求項１〜５のいずれかに記載の床凹部の支持構造において、前記収納家具は、高さ調節器により高さ寸法を変更可能に設けられていることを特徴とする床凹部の支持構造。
【請求項７】
請求項１〜６のいずれかに記載の床凹部の支持構造において、前記凹部は、底面中央上方に卓を形成する堀座卓で構成されていることを特徴とする床凹部の支持構造。
【発明の詳細な説明】
【０００１】
【発明の属する技術分野】
本発明は、床凹部の支持構造に係り、建物の二層以上の床、例えば、二階建ての建物の場合、二階の床に凹部を設ける床凹部の支持構造に利用できる。
【０００２】
【背景技術】
従来より、住宅等に設けられる居室においては、居住空間を快適に利用するために、堀座卓が形成されている。この堀座卓を形成するにあたっては、床の根太を切欠いてその部分に凹部を設け、この凹部の上方に卓を設けている。
【０００３】
【発明が解決しようとする課題】
しかし、一階部分の床に掘座卓を形成する場合には、前記凹部の底面に加わる荷重を基礎によって支持することができる。
ところが、二階部分の床に掘座卓を形成する場合には、凹部の底面に加わる荷重を一階部分の天井で支持しようとすると、天井は荷重支持構造に造られていないため、通常の建物においては、建設現場で天井の構造を変更したり、天井に補強部材等を設けなければならなず、手間がかかり、作業に時間がかかってしまう。
また、建物ユニットにおいては、工場で下階建物ユニットの構造を大幅に変更しなければならないので、その構造が複雑となり、建物ユニットの生産能率が低下してしまうという問題がある。
【０００４】
本発明の目的は、根太に代わる支持構造を天井懐内に設ける必要がなく、かつ、天井および床構造を複雑にする必要がなく、二層以上の床に凹部を容易に設けることができる床凹部の支持構造を提供することにある。
【０００５】
【課題を解決するための手段】
本発明の床凹部の支持構造は、図面を参照して説明すると、建物の二層以上の床の一部に設けられた凹部５０を支持する支持構造であって、前記凹部５０の底面が下階に設けられた収納家具６０に支持されていることを特徴とする。ここで、建物の二層以上の床とは、例えば、二階建て以上の建物の場合、二階以上の床、また、地階を有する建物の場合、一階以上の床をいう。
このような本発明においては、凹部５０の底面に加わる荷重を下階に設けられた収納家具６０によって支持することができるので、根太４７に代わる支持構造を天井懐内に設ける必要がなく、かつ、天井および床構造を複雑にする必要がなく、二層以上の床に凹部５０を容易に設けることができる。
【０００６】
上記構成において、前記建物は、四隅に立設された四本の柱４１と、これらの柱４１の上端間に架け渡された上梁４２，４３と、前記柱４１の下端間に架け渡された下梁４４，４５とからなる骨組み４０を備えた建物ユニット３１の組合せによって構成され、この建物ユニット３１が上下に積層された上階建物ユニット３１Ａおよび下階建物ユニット３２Ａを含み、この上階建物ユニット３１Ａの床の一部には前記凹部５０が形成され、下階建物ユニット３２Ａには前記凹部５０の底面を支持する収納家具６０が設けられていることが望ましい。
【０００７】
このようにすれば、予め工場で、下階建物ユニット３２Ａに収納家具６０を設置することができる。これにより、建設現場においては、下階建物ユニット３２Ａの上に上階建物ユニット３１Ａを据え付けた後、上下階建物ユニット３１Ａ，３２Ａに跨って凹部５０のみを形成すればよいので、建設現場における作業を軽減できる。
【０００８】
上記構成において、前記下階建物ユニット３２Ａは、前記上階建物ユニット３１Ａよりも高さが低く形成され、この下階建物ユニット３２Ａには、前記凹部５０と上下方向に対向する位置に複数の棚板６４を有する収納家具６０が設けられていることが望ましい。
このようにすれば、下階建物ユニット３２Ａに形成する収納家具６０の高さを低く形成することができるので、高さの高い収納家具に比べて収納家具自体の強度を高める必要がない。これにより、高さの高い収納家具より簡易な構造で凹部５０の底面に加わる荷重を支持することができる。
【０００９】
上記構成において、前記凹部５０と収納家具６０との間には、この凹部５０の底面を支持する支持パネル５６が設けられていることが望ましい。
このようにすれば、支持パネル５６全体によって凹部５０の底面に加わる荷重を支持できるので、凹部５０の底面に加わる荷重を支持パネル５６を介して収納家具６０全体で均等に受けることができる。
【００１０】
上記構成において、前記収納家具６０は、前記凹部５０を支持する間仕切壁７１を含んで設けられていることが望ましい。
このようにすれば、間仕切壁７１は、建物ユニットに接合されているので、強度的にも高く、安定している。これにより、凹部５０の底面に加わる荷重を収納家具６０によって安定して支持することができる。
【００１１】
上記構成において、前記収納家具６０は、高さ調節器６７により高さ寸法を変更可能に設けられていることが望ましい。
このようにすれば、凹部５０を形成する際、高さ調節器６７により収納家具６０の高さを所定高さ位置に合わせることができる。
【００１２】
上記構成において、前記凹部５０は、床下収納庫として利用されてもよいが、例えば、底面中央上方に卓７を形成する堀座卓５で構成されていることが望ましい。
このようにすれば、凹部５０を堀座卓５として利用することにより、床に座るよりも楽な姿勢で座ることができるので、居住空間を快適に利用することができる。
【００１３】
【発明の実施の形態】
以下、本発明の一実施形態を図面に基づいて説明する。
図１には、本発明の実施形態に係る床凹部の支持構造が適用されたユニット式建物１が示されている。このユニット式建物１は、現場打設された基礎２と、この基礎２上に形成される建物本体３と、この建物本体３上に形成させる屋根４とを含んで形成されている。
前記建物本体３は、複数の建物ユニットを組合わせて形成されるもので、高さが標準寸法の直方体形状の建物ユニット３１と、通常の建物ユニット３１よりも高さの低い直方体形状の建物ユニット３２と、建設現場で形成された鉄筋コンクリート製のカーポート３３とを備えている。
【００１４】
図２には、前記ユニット式建物１を構成している図中左側の二階部分の真ん中に位置し、上下に積層された上階建物ユニット３１Ａの骨組み４０が示されている。この骨組み４０は、四隅に立設された四本の柱４１と、これらの柱４１の上端間に架け渡された四本の上梁４２，４３と、前記柱４１の下端間に架け渡された四本の下梁４４，４５を含み、直方体形状に構成されている。前記骨組み４０を構成する長辺側の上梁４２間には複数の小梁４６が一定間隔で架け渡され、また、長辺側の下梁４４間には複数の根太４７が一定間隔で架け渡されている。
【００１５】
前記小梁４６の下面には、天井面材４８（図５参照）が取り付けられることにより、天井が形成され、また、根太４７の上面には、床面材４９（図５参照）が取り付けられることにより、床が形成されている。なお、上梁４２，４３および下梁４４，４５は、垂直なウェブ１１と、このウェブ１１の上下端から同一方向に直角に延設された一対のフランジ１２とを有する断面コ字形状のチャンネル材により形成されている。
【００１６】
上下に積層された二層以上の床、つまりは、前記上階建物ユニット３１Ａの床の一部には、開口部１３が形成され、この開口部１３の周縁には、中間梁１５，１６が形成されている。なお、建物ユニット３１は、床の一部に開口部１３を設けていない通常の建物ユニットの骨組みを含んで構成されている。
【００１７】
前記中間梁１５，１６は、前記上梁４２，４３および下梁４４，４５と同様に垂直なウェブ１７と、このウェブ１７の上下端から同一方向に直角に延設された一対のフランジ１８とを有する断面コ字形状のチャンネル材により形成されている。
短辺側の中間梁１６は、一対のフランジ１８が長辺側の下梁４４の一対のフランジ１２の内面に固着され、前記下梁４４に取り付けられており、長辺側の中間梁１５は、短辺側の中間梁１６の長手方向の両端にウェブ１７面が溶接等で固定され、長辺側の下梁４４間に架け渡されている。
【００１８】
前記建物ユニット３１Ａの真下に位置する下階建物ユニット３２Ａは、図３に示すように、前記建物ユニット３１Ａと略同一の骨組み４０Ａを含んで構成されているが、これらの建物ユニット３１Ａの柱４１の高さより低い柱４１Ａを有している。
また、前記下階建物ユニット３２Ａの天井の一部には、前記開口部１３と連通する開口部１４が形成され、この開口部１４の周縁には、前記上階建物ユニット３１Ａと同様の構造で中間梁１５，１６が形成されている。前記長辺側の中間梁１５は、下端に補強材８を介して長辺側の上梁４２間に架け渡されている（図５参照）。なお、建物ユニット３２は、天井の一部に開口部１４を設けていないことを除き、下階建物ユニット３２Ａと同一の骨組みを含んで構成されている。
【００１９】
前記上階建物ユニット３１Ａの床には、図４〜図６に示すように、堀座卓５が設けられている。この堀座卓５は、上階建物ユニット３１Ａの床の一部に形成された凹部５０と、この凹部５０の底面に立設された複数の脚６と、この脚６の上端に取り付けられた卓７とを備えている。また、前記凹部５０に対応して下階建物ユニット３２Ａには、前記凹部５０の底面を支持する収納家具６０が形成されている。
【００２０】
前記凹部５０は、下階建物ユニット３２Ａの開口部１４の周縁に形成された中間梁１５，１６のウェブ１７面に一方の面を当接し、かつ、このウェブ１７面に対して上下方向に突出して取り付けられた吊り合板５１と、前記収納家具６０の上面に格子枠組状に配置された複数の根太５２からなる支持パネルである床パネル５６と、この根太５２の上面に取り付けられる床面材５３と、前記吊り合板５１の他方の面に当接し、かつ、上階建物ユニット３１Ａの床および凹部５０の床に跨って取り付けられた化粧板５４とを備えている。なお、吊り合板５１および化粧板５４は、凹部５０の周縁に沿って設けられている。
【００２１】
前記収納家具６０は、骨組み４０Ａの長辺側の両側面、つまり、二本の柱４１Ａ、上梁４２および下梁４４からなる両側面の内側に収納家具６０の短辺側の幅寸法と同じ寸法で形成された内壁１９に挟まれた状態で設けられており、短辺側の両側面に向かって互いに開口している。
【００２２】
前記収納家具６０は、上下端に配置され、前記凹部５０の大きさより大きい天板６１および底板６２と、この天板６１および底板６２に跨って設けられ、内部空間を横方向に仕切る複数の方立６３と、隣接する方立６３間に取り付けられ、これらの方立６３により仕切られた内部空間を上下方向に仕切る棚板６４と、この棚板６４の中間に設けられた仕切板６５と、前記底板６２に設けられた複数の台輪６６と、前記底板６２に設けられ、高さを調節するための高さ調節器であるアジャスタ６７とを備えている。
【００２３】
前記アジャスタ６７は、底板６２に突設されたねじ６８と、前記床上面に設けられ、前記ねじ６８の下端に螺合された台６９とを備えている。これにより、台６９を回転させることで収納家具６０の高さ位置を合わせることができる。なお、台輪６６は、収納家具６０の高さ調節した後、底板６２および下階建物ユニット３２Ａの床間に設けられる。
【００２４】
このような構成からなる本実施形態の製造方法を説明する。
上階建物ユニット３１Ａの床の一部に床凹部を形成し、前記床に堀座卓５を形成するには、予め工場において、上下に連通する開口部１３，１４を備えた骨組みを有する上下階建物ユニット３１Ａ，３２Ａを形成し、前記開口部１３，１４の周縁に中間梁１５，１６を設ける。また、下階建物ユニット３２Ａは、上階建物ユニット３１Ａよりも高さを低く形成し、前記凹部５０と上下方向に対向する位置に複数の棚板６４を有する収納家具６０を形成する。
【００２５】
次に、建設現場において、前記上下階建物ユニット３１Ａ，３２Ａを上下に積層し、収納家具６０の高さをアジャスタ６７により調節する。その後、底板６２および床間に複数の台輪６６を設置する。そして、下階建物ユニット３２Ａの開口部１４の周縁に形成された中間梁１５，１６のウェブ１７面に一方の面が当接し、かつ、ウェブ１７面に対して上下方向に突出するように吊り合板５１を取り付け、収納家具６０の天板６１の上面に複数の根太５２を格子枠組状に配置し、この根太５２全体で床パネル５６を形成する。この床パネル５６の上面に床面材５３を前記吊り合板５１の他方の面に当接するように取り付け、凹部５０の床を形成する。前記吊り合板５１の他方の面に当接し、かつ、上階建物ユニット３１Ａの床および凹部５０の床に跨って化粧板５４を取り付ける。
最後に、凹部５０の床に複数の脚６を立設し、この脚６の上端に卓７を取り付ける。
【００２６】
前述のような本実施形態によれば、次のような効果が得られる。
すなわち、上階建物ユニット３１Ａの床の一部および下階建物ユニット３２Ａの天井の一部に上下に連通する開口部１３，１４が形成され、この開口部１３，１４に凹部５０が設けられている。下階建物ユニット３２Ａには、凹部５０に対応した位置に収納家具６０が形成されている。これにより、凹部５０の底面に加わる荷重を下階建物ユニット３２Ａに設けられた収納家具６０によって支持することができるので、根太に代わる支持構造を天井懐内に設ける必要がなく、かつ、天井および床構造を複雑にする必要がなく、二階以上の床に凹部５０を容易にも受けることができる。
【００２７】
また、下階建物ユニット３２Ａは、上階建物ユニット３１Ａよりも高さが低く形成され、この下階建物ユニット３２Ａには、凹部５０と上下方向に対向する位置に収納家具６０が設けられている。このようにすれば、下階建物ユニット３２Ａに対応して収納家具６０の高さを低く形成することができるので、高さの高い収納家具に比べて収納家具自体の強度を高める必要がなくなり、高さの高い収納家具より簡易な構造で凹部５０の底面を支持することができる。
【００２８】
また、収納家具６０の天板６１の上面に複数の根太５２を格子枠組状に配置し、これらの根太５２全体で床パネル５６を形成している。これにより、凹部５０の底面に加わる荷重を床パネル５６全体で支持できるので、凹部５０の底面に加わる荷重を支持パネル５６を介して収納家具６０全体で均等に受けることができる。
【００２９】
また、収納家具６０の底板６２には、収納家具６０の高さを調節するためのアジャスタ６７が設けられているので、凹部５０を形成する際、収納家具６０の高さを所定高さ位置に合わせることができる。
【００３０】
なお、本発明は前記実施形態に限定されるものではなく、本発明の目的を達成できる他の構成等を含み、以下に示すような変形なども本発明に含まれる。
すなわち、前記実施形態では、上階建物ユニット３１Ａ（二階）の床の一部に凹部５０を設けているが、これに限らず、三階以上の床の一部に凹部５０を設けていてもよい。また、地階を有する建物の場合においては、一階の床の一部に凹部５０を設けていてもよい。
【００３１】
また、建物は、建物ユニット３１の組合せによって構成されているが、これに限らず、例えば、建設現場で柱および梁等からなる骨組みを組み立てる軸組工法から構成されていてもよい。
【００３２】
また、前記実施形態では、凹部５０の底面を収納家具６０によって支持しているが、これに限らず、図７に示すように、下階建物ユニット３２Ａに形成された間仕切壁７１を含んで構成された収納家具６０によって凹部５０の底面を支持していてもよい。このようにすれば、間仕切壁７１は、下階建物ユニット３２Ａに接合されているので、強度的にも高く、安定している。これにより、間仕切壁７１を主として収納家具６０によって凹部５０の底面を安定して支持することができる。
【００３３】
また、図８に示すように、前記凹部５０の床に暖房機能を備えた床暖房装置８０が設けられていてもよい。この床暖房装置８０は、前記床に取り付けられる複数の床暖パネル８１と、凹部５０の温度を調節するためのセンサパネル８２とを備えている。これにより、床暖房装置８０は凹部５０の床と一体となっているので、凹部５０内に別個に暖房装置を設ける必要がなく、簡易な構造で凹部５０を暖かくすることができ、凹部５０の内部空間を有効利用できる。
【００３４】
また、前記実施形態では、凹部５０は、堀座卓５として利用しているが、これに限らず、二階の床下収納庫として利用してもよい。
【００３５】
また、前記アジャスタ６７は、底板６２に突設されたねじ６８と、前記床上面に設けられ、前記ねじ６８の下端に螺合された台６９とを備えているが、これに限らず、収納家具６０の高さを調節できる構造であれば、どのような構造でもよい。
【００３６】
また、前記実施形態では、下階建物ユニット３２Ａの骨組み４０Ａの長辺側の両側面、つまり、二本の柱４１Ａ、上梁４２および下梁４４からなる両側面の内側に収納家具６０の短辺側の幅寸法に合わせて内壁１９が設けられているが、これに限らず、長辺側の両側面に内壁１９を設けなくてもよく、適宜応じて設ければよい。
【００３７】
【発明の効果】
本発明の床凹部の支持構造によれば、根太に代わる支持構造を天井懐内に設ける必要がなく、かつ、天井および床構造を複雑にする必要がなく、二層以上の床に凹部を容易に設けることができる。
【図面の簡単な説明】
【図１】本発明の床凹部の支持構造が適用された一実施形態に係るユニット式建物を示す全体斜視図である。
【図２】上記実施形態に係る上階建物ユニットの骨組みを示す斜視図である。
【図３】上記実施形態に係る下階建物ユニットの骨組みを示す斜視図である。
【図４】上記実施形態に係るユニット式建物の建物ユニットの配置を示す平面図である。
【図５】図４のＶ−Ｖ線断面図である。
【図６】図４のＶＩ−ＶＩ線断面図である。
【図７】本発明に係る床凹部の支持構造の他の例を示す断面図である。
【図８】本発明に係る床凹部の床構造の他の例を示す図である。
【符号の説明】
５  堀座卓
７  卓
３１，３２  建物ユニット
３１Ａ  上階建物ユニット
３２Ａ  下階建物ユニット
４０，４０Ａ  骨組み
４１，４１Ａ  柱
４２，４３  上梁
４４，４５  下梁
５０  凹部
５６  床パネル（支持パネル）
６０  収納家具
６４  棚板
６７  アジャスタ（高さ調節器）
７１  間仕切壁
【図１】
0003840326.tif 000002
【図２】
0003840326.tif 000003
【図３】
0003840326.tif 000004
【図４】
0003840326.tif 000005
【図５】
0003840326.tif 000006
【図６】
0003840326.tif 000007
【図７】
0003840326.tif 000008
【図８】
0003840326.tif 000009